(57)【要約】【課題】装着により、肩掛けベルトが腋の下に食い込むことなく、肩こりや腰痛の原因となる前屈みの姿勢を矯正するテンションを付与することができるようにした姿勢矯正用サポーターを提供すること。【解決手段】実質的に両肩甲骨の内側で後ろ身頃を形成する程度に広い面積を備えたプレート状の本体でなる背面支持部１１と、前記背面支持部の下端から水平方向に延びてアンダーバストの位置に回り込む本体ベルト２１と、該背面支持部の上端から延出して身体前面に回り込み、下方へ向かって延びる弾性伸縮性を備えた一対の補助ベルト３１，３１と、前記本体ベルトの両側部に設定され、前記補助ベルトを係止する係止手段とを備える。【選択図】図３
2010104707.tif 000002
【特許請求の範囲】
【請求項１】
実質的に両肩甲骨の内側で後ろ身頃を形成する程度に広い面積を備えたプレート状の本体でなる背面支持部と、
前記背面支持部の下端から水平方向に延びてアンダーバストの位置に回り込む本体ベルトと、
該背面支持部の上端から延出して身体前面に回り込み、下方へ向かって延びる弾性伸縮性を備えた一対の補助ベルトと、
前記本体ベルトの両側部に設定され、前記補助ベルトを係止する係止手段と
を備えることを特徴とする姿勢矯正用サポーター。
【請求項２】
前記補助ベルトは、前記背面支持部の内部または該背面支持部の身体当接面と反対の面において、交差して配置されていることを特徴とする請求項１に記載の姿勢矯正用サポーター。
【請求項３】
前記補助ベルトの先端側には一定長さで非伸縮部を設けたことを特徴とする請求項１または２のいずれかに記載の姿勢矯正用サポーター。
【請求項４】
前記本体ベルトの係止手段は、該本体ベルトの両側部に形成され、前記補助ベルトの下方へ向かう先端側を通すとともに、該先端側の方向を前記本体ベルトに沿った方向に導く係止用リングと、補助ベルトの先端部に形成した係止部と、前記本体ベルトの表面に形成した被係止部とを備えることを特徴とする請求項１ないし３のいずれかに記載の姿勢矯正用サポーター。
【請求項５】
前記本体ベルトはアンダーバスト部に沿って水平方向に長さ調節可能に着脱される構成としたことを特徴とする請求項１ないし４のいずれかに記載の姿勢矯正用サポーター。
【請求項６】
前記補助ベルトの係止部は、前記本体ベルトの長さ方向に沿って広い範囲で形成した被係止部に対して、該長さ方向の任意位置で着脱される構成としたことを特徴とする請求項１ないし５のいずれかに記載の姿勢矯正用サポーター。
【請求項７】
前記背面支持部下端には、該背面支持部が当接する身体側に滑り止め部が形成されていることを特徴とする請求項１ないし６のいずれかに記載の姿勢矯正用サポーター。
【請求項８】
前記背面支持部下端には、両側方に向かって前記本体ベルトがそれぞれ延びており、これらの本体ベルトの各延出基端位置に、前記滑り止め部が形成されていることを特徴とする請求項７に記載の姿勢矯正用サポーター。
【発明の詳細な説明】
【技術分野】
【０００１】
この発明は、肩こりや腰痛を防止するための姿勢矯正用サポーターの改良に関する。
【背景技術】
【０００２】
日常の生活において、歩行や日常作業の際に、どうしても前屈みになる等、姿勢が悪くなることによって、肩こりが生じたり、腰痛を生じたりすることの対策として、従来より種々のサポーターが考案されている。
【０００３】
例えば、特許文献１に記載のサポーターは、図１、図２に示すように、背中側から大胸筋の下部に巻回される胸部ベルト１と、該胸部ベルト１の背中側中央上部に一端が固定され、他端が背中側から肩を超えて腋の下を通り、体の側面の背中よりの位置で調整固定される肩掛けベルト２，３を備えるものである。
【０００４】
このようなサポーターでは、姿勢矯正中に、肩掛けベルト２，３が腋の下に食い込んできてしまい、痛みのために装着を継続することが困難となる場合がある。
そこで、特許文献２のようなサポーターが提案されている。
このサポーターは、図１、図４に示すように、水平に延びる胸ベルト３を有し、該胸ベルト３の背面側に一端が固定され、互いに交差して延びる弾性を備えた一対の肩ベルト２を有しており、他端は、身体の前面（正面）に互いに平行に垂下されて、胸ベルト３に固定されるものである。
このようなサポーターでは、胸ベルト３はバストラインに沿って延びているから肩ベルト２は腋の下に食い込むことがなく、装着中に腋の下が痛くなることが無いという利点を有する。
【０００５】
【特許文献１】特開２００２−１７７３０９号公報
【特許文献２】特開２００１−１７４５６号公報
【発明の開示】
【発明が解決しようとする課題】
【０００６】
ところが、特許文献２のものでは、確かに、肩ベルトが腋の下に食い込むことがないが、以下のような欠点を有するものである。
図１０は、肩ベルトを身体の正面の位置でベルトに固定した様子を示す。
この場合には、使用者の肩部は、肩ベルトの伸縮力により矢印に示すように下方に引っ張られることから、背中の方向に引き上げて前屈みの姿勢を矯正する作用が十分発揮されない。
そればかりでなく、装着者の体型に関して、胸や腹の箇所に特に「厚み」がある場合には、肩部が前方に引っ張られて、所謂「猫背」を助長する結果となるという欠点がある。
【０００７】
この発明は、上述の課題を解決するためになされたもので、装着により、肩掛けベルトが腋の下に食い込むことなく、肩こりや腰痛の原因となる前屈みの姿勢を矯正するテンションを付与することができるようにした姿勢矯正用サポーターを提供することを目的としている。
【課題を解決するための手段】
【０００８】
上記目的は、本発明にあっては、実質的に両肩甲骨の内側で後ろ身頃を形成する程度に広い面積を備えたプレート状の本体でなる背面支持部と、前記背面支持部の下端から水平方向に延びてアンダーバストの位置に回り込む本体ベルトと、該背面支持部の上端から延出して身体前面に回り込み、下方へ向かって延びる弾性伸縮性を備えた一対の補助ベルトと、前記本体ベルトの両側部に設定され、前記補助ベルトを係止する係止手段とを備える姿勢矯正用サポーターにより、達成される。
【０００９】
上記構成によれば、広い面積を備えたプレート状の本体でなる背面支持部が、装着者の背中上部を含む領域に当接されることから、前記補助ベルトから伝えられる力を広い面積で受けることができる。このため十分な支持力を発揮することができる。
さらに、前記本体ベルトはアンダーバストの位置で延びているので、補助ベルトの引っ張り力が伝えられた際に、装着者の腋の下に食い込むことがないので、装着に際して痛みを伴うことがない。ここで、「アンダーバストの位置に回り込む」とは、少なくともバスト位置より低い位置で、胴回り方向に配置されることを言う。
また、背面支持部の上端から延びて、身体の前面に回される補助ベルトは、その先端が前記本体ベルトの両側部に係止されるから、装着者の肩部の前面に当たる補助ベルトが、該肩部を前記背面支持部の方へ引っ張るので、身体の前面上部が引き起こされ、前屈みの姿勢が効果的に矯正される。
すなわち、補助ベルトが身体前面にほぼ垂直に導かれて本体ベルトのようなベルトに固定される場合には、補助ベルトの引っ張り力によって、肩部がかえって下方向に引っ張られて、姿勢を悪くする場合があるが、本発明ではそのような弊害がない。
【００１０】
また、本発明にあっては、好ましくは、前記補助ベルトは、前記背面支持部の内部または該背面支持部の身体当接面と反対の面において、交差して配置されていることを特徴とする。
上記構成によれば、補助ベルトの引っ張り力を襷掛け状態で背面支持部に伝えることができるので、背中上部の筋肉を補助して、装着者の肩部を効果的に引き起こすことができ、前屈姿勢を好適に矯正することができる。
【００１１】
また、本発明にあっては、好ましくは、前記補助ベルトの先端側には一定長さで非伸縮部を設けたことを特徴とする。
上記構成によれば、補助ベルトの全長が伸縮する場合と比べると、装着者の肩部から背中にかけての部位をより効果的に引っ張ることができる。
また、補助ベルトは、肩部の頂部において、折り返されていることから、該補助ベルトの全長が伸縮すると、この折り返し箇所にテンションが集中してしまうが、補助ベルトが、肩部から背中部にかけて伸縮するようにすれば、そのような事態を防止して、姿勢矯正に効果的なテンションを得ることができる。
【００１２】
また、本発明にあっては、好ましくは、前記本体ベルトの係止手段は、該本体ベルトの両側部に形成され、前記補助ベルトの下方へ向かう先端側を通すとともに、該先端側の方向を前記本体ベルトに沿った方向に導く係止用リングと、補助ベルトの先端部に形成した係止部と、前記本体ベルトの表面に形成した被係止部とを備えることを特徴とする。
上記構成によれば、補助ベルトを容易に装着者の身体の両側部（体側）に導くことができるため、補助ベルトが腋の下に食い込むことがなく、補助ベルトにより形成される肩周りのループが広く装着者が腕を通しやすく、さらに補助ベルトの先端側は、係止用リングに通すことで、身体両側部から、前方に折り返され、前記本体ベルトの延びる方向と重ねられることにより、前記補助ベルトの先端部に形成された係止部を、前記本体ベルトの表面に形成した被係止部に対して係止して、前記補助ベルトの引っ張り力を容易に調整しつつ固定することができる。
【００１３】
また、本発明にあっては、好ましくは、前記本体ベルトはアンダーバスト部に沿って水平方向に長さ調節可能に着脱される構成としたことを特徴とする。
上記構成によれば、本体ベルトの締め付け力を容易に適宜調整することができ、装着者の身体サイズに適合させやすい。
【００１４】
また、本発明にあっては、好ましくは、前記補助ベルトの係止部は、前記本体ベルトの長さ方向に沿って広い範囲で形成した被係止部に対して、該長さ方向の任意位置で着脱される構成としたことを特徴とする。
上記構成によれば、前記本体ベルトの長さ方向に沿った広い範囲で形成した被係止部に対して係止可能とされているので、前記補助ベルトのテンション調整が広い範囲で可能となる。
【００１５】
また、本発明にあっては、好ましくは、前記背面支持部下端には、該背面支持部が当接する身体側に滑り止め部が形成されていることを特徴とする。
上記構成によれば、背面支持部は、装着者の身体の背面に対して位置ずれしにくいので、補助ベルトのテンションが緩むことなく、効果的に矯正力を作用させることができる。
【００１６】
また、本発明にあっては、好ましくは、前記背面支持部下端には、両側方に向かって前記本体ベルトがそれぞれ延びており、これらの本体ベルトの各延出基端位置に、前記滑り止め部が形成されていることを特徴とする。
上記構成によれば、背面支持部および本体ベルトの双方に関して、位置ずれしにくいものとすることができる。
【発明の効果】
【００１７】
以上述べたように、本発明によれば、装着により、肩掛けベルトが腋の下に食い込むことなく、肩こりや腰痛の原因となる前屈みの姿勢を矯正するテンションを付与することができるようにした姿勢矯正用サポーターを提供することができる。
【発明を実施するための最良の形態】
【００１８】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１は本発明の実施形態に係る姿勢矯正用サポーター（以下、「サポーター」という）を装着した状態を示す概略斜視図、図２はその背面図である。図３は本実施形態のサポーターを表側から見た展開図、図４は本実施形態のサポーターを裏側から見た展開図である。
【００２０】
図２に示すように、サポーター１０は、装着状態において、実質的に両肩甲骨の内側で後ろ身頃を形成する程度に広い面積を備えたプレート状の本体である背面支持部１１と、この背面支持部１１の下端から水平方向に延びてアンダーバストの位置に回り込む本体ベルト２１と、この背面支持部１１の上端から延出して身体前面に回り込み、先端側が下方へ向かって延びる弾性伸縮性を備えた一対の補助ベルト３１，３１と、本体ベルトの両側部に設定され、補助ベルトを係止するために係止用リング３２，３２を含んでなる係止手段とを有している。
【００２１】
背面支持部１１は、サポーター１０の本体であり、所定の面積を有して、図２に示すように、装着者の背中の中央部で、例えば、両肩甲骨の内側周辺をカバーするようにして、縦長の広がり、実質的に後身頃（うしろみごろ）を形成している。これにより、背面支持部１１は、背中上部を含む広い面積で背中に当接されて、後述する補助ベルトのテンションを受けて、これを支持することができるようになっている。
背面支持部１１は、本実施形態では、好ましくは、少なくとも、表面部と裏面部の二枚の素材を重合してプレート状とされている。
【００２２】
例えば、図３に示す表面材１１ａとしては、ナイロン１００パーセントのメッシュ（フィッシュネット）素材が、図４に示す裏面材１１ｂとしては、ナイロン８５パーセント、ポリウレタン１５パーセントでなる硬質パワーネットが、縫着などにより重合固定されている。これによって、補助ベルトや本体ベルトによる引っ張り力を受けるための剛性と、身体に適切にフィットして不快感を与えないある程度の弾性をそなえた部分とされている。しかも、この背面支持部１１は、背中に当接される部分であるが、表面材１１ａがメッシュ素材であることから、きわめて通気性がよい。
なお、背面支持部１１は、２枚以上の素材を重合して形成してもよい。例えば、上記表面材と裏面材に加えて、これらの間に比較的剛性の高い芯材を配置してもよい。
【００２３】
背面支持部１１の下端もしくは下部には、図３の符号１３，１３の位置で、水平にそれぞれ側方に延びる一対の幅広のベルト２２，２３が接続されており、このベルト２２，２３は、本体ベルト２１を構成している。
本体ベルト２１は、図１、図２に示すように、背面支持部１１との関係で、サポーター１０の装着時に、装着者のアンダーバスト付近に配置されることができる位置に形成されることが必要であり、アンダーバストより低ければよいが、それより高い位置は好ましくない。
【００２４】
本体ベルト２１は、全体が伸縮性に富んだ幅広のゴムテープなどで形成されており、図３に示すように、各ベルト２２，２３の表面には、例えば面ファスナーの雌部材により被係止部２４，２４が形成されている。
これに対して、図４に示すように、ベルト２３裏面の先端部には、面ファスナーの雄部材により係止部２５が形成されている。
また、各ベルト２２，２３が延出している個所で、その基端部にあたる背面支持部１１の身体側には、符号３４，３４で示すように、滑り止め部が形成されている。この実施形態では、短冊状のゴム材料を配置することで、滑り止め部３４，３４を形成しているが、例えば、表面を粗面とすることなどにより滑り止め部を形成してもよい。
【００２５】
背面支持部１１の上端から、その表面材１１ａの一部に切り込み１４，１４を形成して、一対の補助ベルト３１，３１が外部に露出して延びている。
具体的には、補助ベルト３１，３１は、それぞれの背面支持部側の下端が図３の符号１３，１３の箇所で縫着などにより固定され、該背面支持部１１内部（表面材１１ａと裏面材１１ｂの間）で交差して延びており、その延出側が切り込み１４，１４から外部に延びている。
【００２６】
補助ベルト３１，３１は、外部に露出した後で、下方に垂らされて、各先端部が本体ベルト２１に係止されるものであり、これにより各補助ベルト３１，３１は、図１に示すように、肩周りにループをつくるものである。
補助ベルト３１，３１は、弾性伸縮性を備えており、この実施形態では、全体が弾性伸縮性に富んだパイルゴムで形成されている。
図３に示すように、各補助ベルト３１，３１の先端部には係止部３６，３６が形成されている。係止部３６，３６は、裏面に面ファスナーの雄部材が配置され、表面に面ファスナーの雌部材が配置されており、上述した本体ベルト２１の表面の被係止部２４，２４に着脱もしくは、係止部３６，３６同士が着脱できるようにされている。
【００２７】
ここで、図１および図３に示すように、本体ベルト２１には、サポーター１０の装着状態で、装着者の身体の両側部（体側）に相当する箇所に、それぞれ係止用リング３２，３２が設けられている。
係止用リング３２は、例えば、長円形の樹脂製リングであり、補助ベルト３１を通すことができる輪状の部分を備えている。この係止用リング３２，３２は、図３に示すように、その外側を、やや上方に向けるように傾けて、本体ベルト２１，２１に固定されている。
【００２８】
しかも、補助ベルト３１，３１の先端側に、一定長さで非伸縮部を設けている。本実施形態では、非伸縮部は、好ましくは、図４に示すように補助ベルト３１の背面支持部から延出した長さの１／２〜１／３の長さで、補助ベルト３１の先端側に形成されている。
すなわち、図４の符号３５，３５に示すように、補助ベルト３１，３１は上述のように全体を伸縮素材で形成し、これら補助ベルト３１，３１の先端側の一定長さ範囲に、伸縮しない素材３５，３５を固定することにより形成されている。
このようにすることで、サポーター１０の補助ベルト３１，３１について、肩周りの近傍から背面だけが伸縮し、先端側は伸縮しないようにする構造を容易に実現できるだけでなく、その伸縮範囲の調整も容易である。
【００２９】
図５は身体の肩部における本実施形態のサポーターの作用を説明するための説明図、図６は図５に関連した人体の筋肉の配置を示す図、図７は身体の背面側における本実施形態のサポーターの作用を説明するための説明図、図８は図７に関連した人体の筋肉の配置を示す図、図９は本実施形態のサポーターの装着状態における利点を説明するための説明図である。
これらの図を参照して、本実施形態のサポーター１０の作用を説明する。
【００３０】
図５は、サポーター１０を装着した状態の斜視図、図６は、肩こりと肩および背中の筋肉の関係を説明するための図である。
図６は背中の浅い箇所の筋肉組織を図示しており、ここに示す僧帽筋という筋肉が肩こりに深く関係している。
僧帽筋は、図示のように肩から背中にかけて形成されている大きな筋肉で、左右一対のものである。
この僧帽筋は、左右あわせて１０キロ程度にもなる左右の腕の重さも、それぞれ各僧帽筋が支えている。その状態で、猫背等の姿勢の悪化があると、僧帽筋にかかる負担が増大し、筋肉が疲労することによって肩こりが発生する。
図５に示すように、サポーター１０は、後述する作用により、補助ベルト３１が、矢印に示すように、効果的に肩部を引き起こして、前傾姿勢を矯正することで、肩こりを防止することができるものである。
【００３１】
また、図８は背中の深部の筋肉組織を示しており、図示されている頭板状筋、棘筋・・・等の総称である脊柱起立筋が背筋力を生み出して、背筋を延ばす働きを担っている。この脊柱起立筋が弱ると姿勢が悪くなり、前屈みの姿勢は腰痛の原因となる。特に、本発明者等の研究によれば、脊柱起立筋のうちの、背面上部の筋肉疲労が腰痛の原因と深い関わりがあることがわかった。
そこで、サポーター１０では、図７に示すように、背面支持部１１において、補助ベルト３１，３１を交差状態で収容することにより、板状の該背面支持部１１を背中上部に押し付けて、弱った筋肉の働きを補助して、前屈みの姿勢を防止し、ひいては腰痛が生じるのを防止するものである。
【００３２】
サポーター１０では、上述のように、広い面積を備えたプレート状の本体でなる背面支持部１１が、装着者の背中に当接されることから、補助ベルト３１，３１から伝えられる力を背中上部を含む広い面積で受けることができる。このため背中上部の筋肉を補助して、十分な支持力を発揮することができる。
【００３３】
さらに、サポーター１０の本体ベルト２１は図９に示すように、装着者のアンダーバストの位置で延びているので、補助ベルト３１，３１の引っ張り力が伝えられた際に、装着者の腋の下に食い込むことがないので、装着に際して痛みを伴うことがない。
この場合、本体ベルト２１はアンダーバスト部に沿って水平方向に長さ調節可能に着脱される構成であるから、該本体ベルト２１の締め付け力を容易に適宜調整することができ、装着者の身体サイズに適合させやすい。
【００３４】
また、背面支持部１１の上端から延びて、身体の前面に回される補助ベルト３１，３１は、その先端側が装着者の身体の両側部（体側）に相当する箇所に係止されるから、装着者の肩部の前面に当たる補助ベルト３１，３１が、図５で説明したように、肩部を矢印に示すように、背面支持部１１の方へ引っ張るので、身体の前面上部が引き起こされ、僧帽筋の負担を減らして、前屈みの姿勢が効果的に矯正される。
すなわち、補助ベルトが身体前面にほぼ垂直に導かれて本体ベルトのようなベルトに固定される場合、すなわち、図１０で示すような状態では、補助ベルトの引っ張り力によって、肩部がかえって下方向に引っ張られて、姿勢を悪くする場合があるが、サポーター１０ではそのような弊害がない。
【００３５】
また、図７で説明したように、補助ベルト３１，３１の引っ張り力を襷掛け状態で背面支持部１１に伝えることができるので、背中上部の筋肉を補助して、肩部を効果的に引き起こすことができ、前屈姿勢を好適に矯正することができる。
また、これら補助ベルト３１，３１の先端側には一定長さで非伸縮部３５，３５を設けている。このため、補助ベルト３１，３１の全長が伸縮する場合と比べると、装着者の肩部から背中にかけての部位に局所的に引っ張り力を集中させることができ、より効果的に引っ張ることができる。
つまり、補助ベルト３１，３１は、肩部の頂部において、折り返されていることから、該補助ベルト３１，３１の全長が伸縮すると、この折り返し箇所にテンションが集中してしまうが、補助ベルトが、肩部から背中部にかけて伸縮するようにすれば、そのような事態を防止して、姿勢矯正に効果的なテンションを得ることができる。
【００３６】
また、本体ベルト２１の係止手段は、図１および図３に示すように、本体ベルト２１の両側部に形成され、補助ベルト３１，３１の下方へ向かう先端側を通すとともに、該先端側の方向を本体ベルトに沿った方向に導く係止用リング３２，３２と、補助ベルト３１，３１の先端部に形成した係止部２５，２５と、本体ベルトの表面に形成した被係止部２４とを備えている。
このような構成により、伸縮力を発揮する補助ベルト３１，３１を容易に装着者の身体の両側部に導くことができ、さらに補助ベルト３１，３１の下端側である先端側は、係止用リング３２，３２に通すことで、身体両側部から、前方に折り返され、本体ベルト２１の延びる方向と重ねられることにより、補助ベルト３１，３１の先端部に形成された係止部３６，３６を、本体ベルト２１の表面に形成した被係止部に対して係止して、引っ張り力を容易に調整して固定することができる。
【００３７】
そして、この補助ベルト３１，３１の係止部３６，３６は、図１で示すように、本体ベルト２１の長さ方向に沿って広い範囲で形成した被係止部２４に対して、該長さ方向の任意位置で着脱されるので、補助ベルト３１，３１のテンション調整が広い範囲で可能となる。
しかも、背面支持部１１の下端付近には、該背面支持部１１が当接する身体側に滑り止め部３４，３４が形成されている。このため、背面支持部１１は、装着者の身体の背面に対して位置ずれしにくいので、補助ベルト３１，３１のテンションが緩むことなく、効果的に矯正力を作用させることができる。
特に、滑り止め部３４，３４は、本体ベルト２１の各延出基端位置に形成されているので、背面支持部１１および本体ベルト２１の両方について、位置ずれしにくいものとすることができる。
【００３８】
本発明は、上述の実施形態に限定されるものではない。
背面支持部１１は、上記説明の形状に限らず、他の形状としてもよく、その素材も適宜他の材料を用いることができる。
補助ベルト３１，３１は伸縮性のベルトで全体を構成しなくても、伸縮性のものと、非伸縮性のものを繋いで一本のベルトとしてもよい。
【図面の簡単な説明】
【００３９】
【図１】実施形態に係る姿勢矯正用サポーターを装着した状態を示す概略斜視図。
【図２】図１のサポーターを装着した状態を示す背面図。
【図３】本実施形態のサポーターを表側から見た展開図。
【図４】本実施形態のサポーターを裏側から見た展開図。
【図５】身体の肩部における本実施形態のサポーターの作用を説明するための説明図。
【図６】図５に関連した人体の筋肉の配置を示す図。
【図７】身体の背面側における本実施形態のサポーターの作用を説明するための説明図。
【図８】図７に関連した人体の筋肉の配置を示す図。
【図９】本実施形態のサポーターの装着状態における利点を説明するための説明図。
【図１０】従来のサポーターの働きを説明するための説明図。
【符号の説明】
【００４０】
１０・・・姿勢矯正用サポーター、１１・・・背面支持部、２１・・・本体ベルト、３１，３１・・・補助ベルト、３２，３２・・・係止用リング
【図１】
2010104707.tif 000003
【図２】
2010104707.tif 000004
【図３】
2010104707.tif 000005
【図４】
2010104707.tif 000006
【図５】
2010104707.tif 000007
【図６】
2010104707.tif 000008
【図７】
2010104707.tif 000009
【図８】
2010104707.tif 000010
【図９】
2010104707.tif 000011
【図１０】
2010104707.tif 000012